(57)【要約】【課題】  既に考案されている折りたたみ出来るメガホン類は、伸縮構造にしたり、蛇腹構造にしたり又、一枚板での組み付けにするなど、その構造上、実用上の縮小・拡大には限界がある。更に、組み立てに手間がかかる場合や、綺麗な円錐形にならないなどの問題がある。【解決手段】  本発明品は、板材の部材(セル)を繋げていく構造となっているため、必要最低限の材料で作ることが出来、又、組み立て式メガホンの携帯性及び、拡大性を大幅に向上させることが出来る。又、材料は屈曲できる板材の材料であれば良く、材質の制約をほとんど受けない。又、一部が壊れても、その一部だけ交換すれば良く、経済性にも優れている。更に他の機器の拡声部分として利用すれば、その機器の拡声の性能を維持したまま、携帯性を大幅に向上することが出来る。【選択図】図９
2018105944.tif 000002
【特許請求の範囲】
【請求項１】
大きな円弧を上にした扇形や、長辺を上にした台形の屈曲可能な板材の部材(セル)の左右の辺が、一方が複数のかぎ状部分で、他方がそのかぎ状部分を挿入できる複数のスリット部分となっていて、そのかぎ状部分を類似の他の部材(セル)のスリット部分に挿入後抜け止めをして、部材(セル)を複数枚横に繋いで円形に繋ぎ、円錐形の単段の単メガホンとした、セル組み立て式メガホン。
【請求項２】
請求項1に記載のセル組み立て式メガホンにおいて、前記単メガホンと大きさの異なる単メガホンを、前記単メガホンの上辺又は下辺に繋げ、前記単メガホンとその他の単メガホンとの繋ぎは、一方の単メガホンの部分に穴、他方の単メガホンの部分に突起物を設け、その穴とその突起物を結合させることで、各単メガホンを複数段に固定する、セル組み立て式メガホン。
【請求項３】
請求項1又は2に記載のセル組み立て式メガホンにおいて、前記板材の部材(セル)のかぎ状部分は、前記他の板材の部材(セル)のスリットに挿入後、ひっかかる形状となっており、かぎ状部分を挿入後スライドさせてロックさせる組合せの他に、スライドさせずにロックする組合せを一カ所以上有するセル組み立て式メガホン。
【請求項４】
請求項1乃至3のいずれかに記載のセル組み立て式メガホンにおいて、前記単メガホンとその他の単メガホンとの繋ぎは、前記穴と突起物の組合せの代わりに、前記かぎ状部分とそのかぎ状部分を前記スリット部分に挿入して固定する組合せとした、各単メガホンを複数段に固定できる、セル組み立て式メガホン。
【請求項５】
請求項1乃至4のいずれかに記載のセル組み立て式メガホンにおいて、円錐形状にした扇形の部材(セル)の小径の開口部を、一段目の前記単メガホンの小径開口部につなげて、口に密着しやすい形状にしたセル組み立て式メガホン。
【発明の詳細な説明】
【背景技術】
【０００１】
特開2003-316361において、折りたたみメガホンが発案されている。
特願2003-070302において、伸縮メガホンが発案されている。
特開平08-022287において、うちわ兼用のメガフォンが発案されている。
実用新案登録番号  第3004484において、携帯用切頭円錐体が発案されている。
実用新案出願公開  平03-094600において、伸縮メガホンが発案されている。
実用新案出願公開  平03-008400において、座布団兼用メガホンが発案されている。
（特許文献１、特許文献2特許文献,特許文献3,特許文献4,特許文献5,特許文献6参照）
【先行技術文献】
【特許文献】
【０００２】
【特許文献１】特開2003-316361
【特許文献２】特願2003-070302
【特許文献３】特開平08-022287
【特許文献４】実用新案登録番号  第3004484
【特許文献５】実用新案出願公開  平03-094600
【特許文献６】実用新案出願公開  平03-008400
【発明の概要】
【発明が解決しようとする課題】
【０００３】
特許文献１に記載の折りたたみメガホンは、一枚の板で構成されており、長さ方向にそれ以上長くすることができない。又、折り目をいれている性質上、綺麗な円錐形とはならない。
【０００４】
特許文献2に記載の伸縮メガホンは、外形が円錐形又は円筒形で短尺化は出来るが、折りたたみ性に劣る。つまり胴部又は、ホーン部の大きさより小さくすることが出来ない。
【０００５】
特許文献3に記載のうちわ兼用のメガフォンは、一枚の板となっているため、板の辺の長さより大きなメガホンにすることが出来ない。
【０００６】
特許文献4に記載の携帯用切頭円錐体は、一枚の板で出来ていて、その縦、横の長さより円錐体の長さを長くすることができない。又、掛止片を、一個一個はめる形状となっており、組み立てるのに時間と手間がかかる。
【０００７】
特許文献5に記載の伸縮メガホンは、本体が蛇腹構造となっており、縮めた場合の体積が、板を使った場合に比較して大きい。又、蛇腹を折りたたむためには、素材の柔軟性が必要であり、素材材質の制約を受ける。
【０００８】
特許文献6に記載の座布団兼用メガホンは、固定するためには、専用の留め具が必要となる。又、一枚の板であり座布団との兼用とするため、大きさに制約がある。
【課題を解決するための手段】
【０００９】
前記課題を解決する手段として、大きな円弧を上にした扇形や、長辺を上にした台形で、屈曲可能な板材の部材(セル)の左右の辺が、一方が複数のかぎ状部分で、他方がそのかぎ状部分を挿入できる複数のスリット部分となっていて、そのかぎ状部分を類似の他の部材(セル)のスリット部分に挿入後、かぎ状部分が抜けないようにつなぎ、板材の部材(セル)を複数枚横に繋いで円形にして、円錐形で一段の単メガホンの、セル組み立て式メガホンとした事を特徴とする。
その特徴により、板状の各部材(セル)の大きさを変えていけば、単メガホンの部材(セル)のつなぎを外すだけで、全体を簡単にコンパクトにたためるだ゜けでなく、簡単に組み立てて綺麗な円錐形のセル組み立て式メガホンにする事が可能となる。その場合、板材の部材(セル)の材質は、樹脂及びゴム等、屈曲可能であれば、材質は問わない。
【００１０】
前記セル組み立て式メガホンにおいて、前記単メガホンと大きさの異なるその他の単メガホンを、前記単メガホンの上辺又は下辺に繋げ、前記単メガホンとその他の単メガホンとの繋ぎは、一方の単メガホンの部分に穴、他方の単メガホンの部分に突起物を設け、その穴とその突起物を結合させることで、各単メガホンを複数段に固定できる事を特徴とする。
その事により、複雑な操作をせずに、複数段のメガホンを容易に組み立てたり、取り外しできるようになり、携帯性を大幅に向上させることが可能となる。
【００１１】
前記セル組み立て式メガホンにおいて、前記板材の部材(セル)のかぎ状部分は、L字やT字等のひっかかる形状となっており、かぎ状部分をスリット部分に挿入後スライドさせてロックさせる組合せの他に、スライドさせずにロックする組合せを一カ所以上有する事を特徴とする。そのことにより、板材の部材(セル)以外の部材を使用することなく、簡単に板材の部材(セル)どうしを繋ぐことが出来又、取り外しも簡単に行う事が出来る。
【００１２】
前記組み立て式メガホンにおいて、前記単メガホンと、その他の単メガホンとの繋ぎは、前記突起と穴の結合て゜はなく、前記L字又はT字等のかぎ状の部分とスリット部分の組合せにより、各単メガホンを複数段に固定できる事を特徴とする。その事により、前記板状の部材(セル)のみで、複数段のメガホンを組み合わせて、各部材の何十倍の体積のメガホンを組み立てることが可能となる。
【００１３】
前記セル組み立て式メガホンにおいて、メガホン形状にできる扇形の部材で、その部材の円錐状の大径の開口部が、人の口の部分に沿う形状とし、その部材(セル)の小径の開口部を一段目の前記単メガホンの小径開口部につなげて、完成したメガホンとする事が出来る事を特徴とする。その事により、単純な板材の部材(セル)の組合せの円錐形状のメガホンではなく、人の声を効率よく取り込めるメガホンとすることが可能となる。
【発明の効果】
【００１４】
本発明により、
板材の部材(セル)の時は小さく、その部材(セル)を組み合わせた時は、大きなメガホンに出来る携帯性を大幅に向上したメガホンを供給することが可能となる。
【００１５】
又、  穴と突起の結合で、各単メガホンを複数段に固定できるため、複数段のメガホンを容易に組み立てたり、取り外して小さく出来、携帯性を大幅に向上させることが可能となる。スマホなどの携帯電子機器用の拡声機にも簡単に応用する事が可能となる。
【００１６】
又、  L字やT字等のかぎ形状とスリットとの組合せで組み立てられているため、余分な部材を必要としないシンプルなメガホンを供給できる。
【００１７】
又、  L字やT字等のかぎ形状とスリットとの組合せで、複数段の単メガホンを組み合わせて、各部材の何十倍の体積のメガホンを組み立てることが出来るので、ユーザーの要望に応じた大きさのメガホンを簡単に作りだす事が可能となる。
【００１８】
又、板材からメガホン形状にする類似の製品は、ただ丸めて円錐状の製品となっているが、それでは開口部が口にフィットしない。しかし、そのために専用に部材を成型したのでは携帯性に劣る。本発明品の場合、板材の部材を使用しているため、口にフィットしつつ、携帯性を損なわないセル組み立て式メガホンを供給することが可能となる。
【図面の簡単な説明】
【００１９】
【図１】セル組み立て式メガホンの全体斜視図である。
【図２】板状の部材(セル)の部品図である。
【図３】板状の部材(セル)の組み立て方法の説明図である。
【図４】かぎ状部分をスリットに挿入し固定した後の動きを説明した図である。
【図５】各単メガホンを、突起と穴で組み付けた時の説明図である。
【図６】各単メガホンを、かぎ状部分とスリットで組み付ける場合の部品図である。
【図７】口部メガホンの展開形状と、板状の部材(セル)の部品図である。
【図８】各単メガホンと口部メガホンの斜視図である。
【図９】口部メガホンと各単メガホンを組付けた場合の斜視図である。
【図１０】スマホなどの携帯電子機器の拡声機に取り付けた時の斜視図である。
【発明を実施するための形態】
【００２０】
以下、本発明の実施の形態を図面に基づいて説明する。
第一実施例
図1は、本発明を適用したセル組み立て式メガホン1の全体斜視図である。板状の部材(セル)を組み立てることにより、自由に大きさを変化させることができる。
【００２１】
各板状の部材(セル)の部品図である。図2-Aに1段目の板状の部材(セル)100、図2-Bに2段目の板状の部材(セル)200の部品図を記入している。図2-Aに図示した1段目の板状の部材(セル)100のかぎ状部分110を、スリット部分120に、かぎ状部分111をスリット部分121に挿入する形状となっている。同様に図2-Bに図示した2段目の板状の部材(セル)200のかぎ状部分210を、スリット部分220に、かぎ状部分211をスリット部分221に挿入する形状となっている。各段の板状の部材(セル)を同形状としているが、形状は同形状でなくとも良い。又、1段目と2段目のみ記入しているが、1例として示したものであり、段数は問わない。
【００２２】
図3に、前記板状の部材(セル)の組み立て方を示す。
図3-Aの通り、かぎ状部分110をスリット部分120に挿入し、かぎ状部分111をスリット部分121に挿入し板状の部材(セル)を組み立てる。図3-Bにスライドさせるかぎ状部分の組み立て方を図示する。図3-B1の通りかぎ状部分をスリット部分に挿入し、図3-B2の通り挿入後、かぎ状部分をスリット部分の下にスライドさせ、図3-B3の通り固定する。図3-Cにスライドさせないかぎ状部分の組み立て方を図示する。図3-C1の通り、かぎ状部分をスリット部分に挿入し、図3-C2の通りかぎ状部分をスライドさせず、図3-C3の通りかぎ状部分をスリット部分に固定する。
このことにより、簡単にスライドさせて固定できる部分と、スライドさせずに固定し簡単に外れない部分を採用することにより、簡単に組み付けることが出来かつ、外れにくい製品とすることが出来る。
この図は一例として示したものであり、スライドさせることができるかぎ状部分とスリット部分及び、スライドさせないかぎ状部分とスリット部分の組合せ数は任意の数とする。
【００２３】
図4に、かぎ状部分をスリットに挿入し固定した場合の特徴を説明する。図4-Aの通り、板状の部材(セル)100のかぎ状部分を板状の部材(セル)100のスリットに挿入し固定した後、一方向には折りたたむことができる。図4-Aが折りたたまれた状態であり、図示した通り、一枚の板状の部材(セル)100を矢印の方向に動かすと、図4-Bの通りとなり更に矢印方向に動かすと、図4-Cの通りとなる。さらにその板材の部材(セル)を矢印方向に動かすと、図4-Dの通り、板状の部材(セル)の組合せで曲面を作りだす事が出来る。複数枚つなげても同様に曲面を作り出すことができるため、複数枚の板状の部材(セル)100の組合せで綺麗な円錐状のメガホンを組み立てることができる。記入していないその他の複数の板状の部材(セル)でも同様の特徴となるため、説明を省略する。
【００２４】
図5に、単メガホンどうしを、突起と穴でつなぐ場合を説明する。図5-Aに図示する通り、単メガホンの突起150を他方の単メガホンの穴250に結合させ、単メガホンどうしをつなげることが出来る。図5-Bに単メガホンを繋げた状態を図示する。図5-Cに図示した通り、単メガホンどうしを外す場合に、矢印の通り、一方の突起又は穴近傍を押さえれば簡単に単メガホンどうしを外すことができる。突起と穴の組合せの数は任意とし又、挿入する側、挿入される側がどちらが穴でどちらが突起かは問わない。穴と突起の組みを合わせであれば良い。
【００２５】
図6に、単メガホンと単メガホンを、かぎ状部分とスリット部分でつなぐ場合を図示する。単メガホンのかぎ状部分212を他の単メガホンのスリット部分122に挿入して固定する。固定方法は図3にて説明した方法と同様のため説明を省略する。
【００２６】
図7は、口部メガホン300の部品図と、その口部メガホンを使った場合のその他の板状の部材(セル)の部品図である。口部メガホン300のかぎ状部分310をスリット123に挿入して完成品のメガホンとすることが出来る。
【００２７】
実施例2として、図8に、単メガホン10と単メガホン20と口部メガホン30の斜視図を示す。図示した通りの位置関係で組み付ける。単メガホン20は分かりやすいように、一部かぎ状部分とスリット部分を外した状態の斜視図としている。図8は、実施例として、各単メガホンを図5で説明した通り、突起と穴でつなぐ場合の単メガホンを図示している。
【００２８】
図9に、図8で説明した前記各単メガホンと前記口部メガホンを組付けたセル組み立て式メガホン2を図示する。
【００２９】
実施例3として、図10に、スマホなどの携帯電子機器拡声機5に搭載した、セル組み立て式メガホン1を図示する。
【実施例】
【００３０】
例えば、図1の実施例1に示すように、板材の部材(セル)を組み立てるだけで、その数倍のメガホンとして使う事が可能となる。
【００３１】
例えば、図8の実施例2の場合、実用的な範囲で最大限の大きさのメガホンが組みたてられることを示している。口部メガホンが口にフィットする形状となっているため、効率良く音を入れ、拡声ができるメガホンとすることが出来る。その口部メガホンも板材の部材(セル)のため、携帯性が確保できる。
【００３２】
例えば、図10の実施例3に示すように、スマホなどの音を拡声する携帯電子機器用拡声機のメガホン部分として使用し、携帯性を損なうことなく、組み立て時に最大限の大きさにできるため、携帯電子機器の音を拡声する性能を最大限発揮することができる。
【産業上の利用可能性】
【００３３】
本発明品は、板材の部材(セル)のみを使用しているため、製品を作り出すための大がかりな設備を必要としない。又、板材の部材(セル)の材料を効率よく取り出し、廃棄物を最小限に抑え、材料を最大限活用出来る環境に優しい製品である。又、メガホンの携帯性を極限まで追求することが可能となる。板材の部材(セル)だけで、その数十倍の大きさのメガホンを簡単に作りだす事が出来る。
【００３４】
本発明品は、ユーザーの取り扱いによっては、組み立て及び、取り外しが何度でも可能であり、繰り返し使える省資源、省エネに貢献できる製品である。もし板状部材(セル)の単品が壊れた場合でも、その単品のみ取り換えればいいため、経済的にも非常に優れている。他の類似の発明品は、本体が壊れれば全てを廃棄せざるを得ないので、非経済的である。
又、屈曲可能な材料であれば、材質を問わない製品であり、使用方法に応じた材質の選定が可能となる。
【符号の説明】
【００３５】
1       セル組み立て式メガホン
100  1段目の板状の部材(セル)
110  かぎ状部分
120  スリット部分
111  かぎ状部分
121  スリット部分
200  2段目の板状の部材(セル)
210  かぎ状部分
220  スリット部分
211  かぎ状部分
221  スリット部分
150  板状の部材(セル)の突起部分
250 板状の部材 (セル)の穴部分
212  2段目の単メガホンのかぎ状部分
122  1段目の単メガホンのスリット部分
300  口部メガホンの板状の部材(セル)
310  かぎ状部分
123  1段目のスリット部分
10  1段目の単メガホン
20  2段目の単メガホン
30  口部メガホン
2  口部メガホンを組付けたセル組み立て式メガホン
5  スマホ等の携帯電子機器用拡声機
【図１】
2018105944.tif 000003
【図２】
2018105944.tif 000004
【図３】
2018105944.tif 000005
【図４】
2018105944.tif 000006
【図５】
2018105944.tif 000007
【図６】
2018105944.tif 000008
【図７】
2018105944.tif 000009
【図８】
2018105944.tif 000010
【図９】
2018105944.tif 000011
【図１０】
2018105944.tif 000012